(57)【要約】【課題】扉が開位置にある状態で開扉装置が動作する事態を抑制することが可能な貯蔵庫を提供する。【解決手段】開口部１４を有する貯蔵庫本体１１と、開口部１４を開放する開位置と開口部１４を閉じる閉位置との間で回動可能な扉１３Ａと、閉位置にある扉１３Ａを開位置側に回動させる開扉装置４０と、開扉装置４０を動作させるスイッチ４９と、開扉装置４０を前方から覆うフロントパネル３０に設けられた検知対象部６１と、扉１３Ａに設けられたセンサ６０と、制御部７０と、を備え、扉１３Ａが開位置にある場合には、センサ６０と検知対象部６１との距離が所定距離よりも大きくなる位置関係であり、制御部７０は、センサ６０と検知対象部６１との距離が所定距離よりも大きい場合には、スイッチ４９がオンされた場合であっても開扉装置４０を動作させないことに特徴を有する。【選択図】図１２
2020067190.tif 000002
【特許請求の範囲】
【請求項１】
前方に開口された開口部を有する箱状の貯蔵庫本体と、
前記貯蔵庫本体に対して回動可能に取り付けられ、前記開口部を開放する開位置と前記開口部を閉じる閉位置との間で回動可能な扉と、
前記閉位置にある前記扉を前記開位置側に回動させる開扉装置と、
前記開扉装置を動作させるスイッチと、
前記貯蔵庫本体と隣接し、前記開扉装置を前方から覆うカバー部材と、
前記カバー部材及び前記扉のうち、いずれか一方に設けられた検知対象部と、
前記カバー部材及び前記扉のうち、他方に設けられ、前記検知対象部との距離が所定距離以内にあるか否かを判定するセンサと、
制御部と、を備え、
前記センサと前記検知対象部とは、前記扉が前記閉位置にある場合には、前記センサと前記検知対象部との距離が前記所定距離以内となる位置関係であり、
さらに、前記センサと前記検知対象部とは、前記扉が前記開位置にある場合には、前記センサと前記検知対象部との距離が前記所定距離よりも大きくなる位置関係であり、
前記制御部は、前記センサと前記検知対象部との距離が前記所定距離よりも大きい場合には、前記スイッチがオンされた場合であっても前記開扉装置を動作させない貯蔵庫。
【請求項２】
前記制御部は、前記スイッチがオンされてから、前記センサと前記検知対象部との距離が前記所定距離よりも大きい状態となり、その後、前記センサと前記検知対象部との距離が前記所定距離以内となるまでの間、前記スイッチの機能を無効とする請求項１に記載の貯蔵庫。
【発明の詳細な説明】
【技術分野】
【０００１】
本発明は、貯蔵庫に関する。
【背景技術】
【０００２】
従来、貯蔵庫として、開扉装置（扉開放用ユニット）を備える貯蔵庫が開示されている（下記特許文献１）。特許文献１には、スイッチ手段がオン状態になると開扉装置が動作し、開扉装置が備える押出し棒が扉を押し開ける構成が記載されている。
【先行技術文献】
【特許文献】
【０００３】
【特許文献１】特開２００１−０５６１７６号公報
【発明の概要】
【発明が解決しようとする課題】
【０００４】
上記構成において、扉が開位置にある状態で開扉装置が動作すると、開扉装置が動作する必要がないにも関わらず、使用者は開扉装置の動作音を聞くこととなり、不快感を抱く事態が懸念される。
【０００５】
本発明は上記のような事情に基づいて完成されたものであって、扉が開位置にある状態で開扉装置が動作する事態を抑制することが可能な貯蔵庫を提供することを目的とする。
【課題を解決するための手段】
【０００６】
上記課題を解決するために、本発明の貯蔵庫は、前方に開口された開口部を有する箱状の貯蔵庫本体と、前記貯蔵庫本体に対して回動可能に取り付けられ、前記開口部を開放する開位置と前記開口部を閉じる閉位置との間で回動可能な扉と、前記閉位置にある前記扉を前記開位置側に回動させる開扉装置と、前記開扉装置を動作させるスイッチと、前記貯蔵庫本体と隣接し、前記開扉装置を前方から覆うカバー部材と、前記カバー部材及び前記扉のうち、いずれか一方に設けられた検知対象部と、前記カバー部材及び前記扉のうち、他方に設けられ、前記検知対象部との距離が所定距離以内にあるか否かを判定するセンサと、制御部と、を備え、前記センサと前記検知対象部とは、前記扉が前記閉位置にある場合には、前記センサと前記検知対象部との距離が前記所定距離以内となる位置関係であり、さらに、前記センサと前記検知対象部とは、前記扉が前記開位置にある場合には、前記センサと前記検知対象部との距離が前記所定距離よりも大きくなる位置関係であり、前記制御部は、前記センサと前記検知対象部との距離が前記所定距離よりも大きい場合には、前記スイッチがオンされた場合であっても前記開扉装置を動作させないことに特徴を有する。
【０００７】
扉が開位置にある場合には、センサと検知対象部との距離が所定距離よりも大きくなる位置関係であるから、開扉装置が動作しないようになっている。これにより、扉が開位置にある場合に開扉装置が動作する事態を抑制できる。また、開扉装置のメンテナンス等を行う際にカバー部材を取り外した場合には、取り外されたカバー部材は扉から十分に遠い位置に置かれることになるから、センサと検知対象部との距離が大きくなり、開扉装置が動作しない。このため、開扉装置のメンテナンス中に開扉装置が動作する事態を抑制できる。上記構成によれば、センサと検知対象部とを一つずつ備えることで、扉が開位置にあること及びカバー部材が取り外されていることをそれぞれ検知することができる。このため、仮に貯蔵庫本体にセンサを設け、扉とカバー部材にそれぞれ検知対象部を設ける構成と比べて、検知対象部の設置個数を減らすことができる。
【０００８】
また、前記制御部は、前記スイッチがオンされてから、前記センサと前記検知対象部との距離が前記所定距離よりも大きい状態となり、その後、前記センサと前記検知対象部との距離が前記所定距離以内となるまでの間、前記スイッチの機能を無効とするものとすることができる。扉が閉位置でない状態、且つセンサと検知対象部との距離が所定距離以内である状態で、スイッチが操作された場合において、開扉装置が動作する事態を抑制できる。
【発明の効果】
【０００９】
本発明によれば、扉が開位置にある状態で開扉装置が動作する事態を抑制することが可能な貯蔵庫を提供することができる。
【図面の簡単な説明】
【００１０】
【図１】本発明の一実施形態に係る冷却貯蔵庫を示す正面図
【図２】冷却貯蔵庫を示す斜視図
【図３】扉の開閉動作を示す模式図
【図４】開扉装置を示す斜視図
【図５】てこ部材及び扉押出部を示す平面図
【図６】開扉装置を示す平面図
【図７】開扉装置が動作した状態を示す平面図
【図８】閉位置のフロントパネル付近を示す断面図
【図９】フロントパネル付近を示す断面図（扉が開いた状態）
【図１０】開位置のフロントパネル付近を示す断面図
【図１１】冷却貯蔵庫の電気的構成を示すブロック図
【図１２】扉の開閉に係る制御部の動作を示すフローチャート
【図１３】スイッチに係る制御部の動作を示すフローチャート
【発明を実施するための形態】
【００１１】
本発明の一実施形態を図１から図１３によって説明する。本実施形態では、図１に示すように、貯蔵庫として、４ドア式の冷却貯蔵庫１０を例示する。冷却貯蔵庫１０は、図１及び図２に示すように、箱状の貯蔵庫本体１１と、貯蔵庫本体１１の上方に配された機械室１２と、貯蔵庫本体１１に対して回動可能に取り付けられた扉１３と、を備える。貯蔵庫本体１１は、前方に開口された開口部１４（図３参照）を有する断熱箱体であり、貯蔵物が配される貯蔵室１５（図３参照）を有する。貯蔵庫本体１１には、上下方向に２組配列された左右一対の扉１３，１３が取り付けられている。
【００１２】
扉１３は、図１に示すように、ヒンジピン１６を備えるヒンジ部材１７を介して貯蔵庫本体１１に対して回動可能に取り付けられている。これにより、扉１３は、図３に示すように、開口部１４を閉じる閉位置と開口部１４を開放する開位置との間で回動可能となっている。つまり、貯蔵室１５は扉１３によって開閉可能な構成となっている。なお、図３においては、開位置にある扉１３を２点鎖線で示し、符号１３Ｂを付している。なお、開口部１４は、図１に示すように、上下方向に延びる仕切部材１８（センターピラー）及び水平方向に延びる仕切部材１９によって４つに仕切られており、４つに仕切られた各開口部を覆う形で各扉１３が配されている。以下の説明では、扉１３側を前側、扉１３とは反対側を後側とし、前後方向をＹ軸方向とする。また、図１に示す正面視（冷却貯蔵庫１０を前側から視た状態）における左右方向を冷却貯蔵庫１０の左右方向（Ｘ軸方向）とする。
【００１３】
機械室１２には、図２に示すように、冷却装置２０、電装箱２１及び開扉装置４０（詳しくは後述）が収容されている。冷却装置２０（冷凍ユニット）は、凝縮器２２と、凝縮器ファン２３と、圧縮機２４と、を備える。また、凝縮器２２は、エアフィルタ２５によって前方から覆われている。冷却装置２０は、貯蔵庫本体１１内において貯蔵室１５の上方となる箇所に設けられた冷却器室（図示せず）に配された冷却器（図示せず）と冷媒管（図示せず）によって循環接続されている。これにより、冷却装置２０が駆動することで冷却器が冷気を生成する構成となっている。なお、冷却器で生成された冷気は、冷却器室に配置された冷却ファン２８（図１１参照）によって貯蔵室１５に送られる。
【００１４】
機械室１２は、図２に示すように、上方と後方に開口されており、フロントパネル３０及び左右のサイドパネル２６，２６によって構成されている。貯蔵庫本体１１の上面は、方形状をなし、その四隅には、支柱２７が設けられている。サイドパネル２６，２６は前後方向に並ぶ一対の支柱２７，２７に固定されている。また、後側において左右方向に並ぶ一対の支柱２７，２７は、長手状をなす補強材２９によって連結されている。
【００１５】
開扉装置４０は扉１３を開けるための装置である。本実施形態では、４枚の扉１３のうち正面視において右上側に位置する扉１３を開けるための開扉装置４０を例示する。以下の説明では、開扉装置４０によって開けられる右上側の扉１３に符号１３Ａを付し、他の扉１３と区別する。開扉装置４０は、機械室１２の前端部において扉１３Ａの上方となる箇所に配されている。
【００１６】
開扉装置４０は、図４に示すように、ソレノイド４１と、プランジャ４２（可動鉄芯）と、てこ部材４３と、回動軸４４と、扉押出部４５と、を備える。プランジャ４２の先端には、ヒンジピン４６が取り付けられている。ヒンジピン４６は、固定部材５０によって前後方向について変位可能に固定されている。具体的には、ヒンジピン４６は、固定部材５０が有する貫通孔５０Ａに挿通されている。貫通孔５０Ａは前後方向に長い長手状をなし、ヒンジピン４６は貫通孔５０Ａ内部において前後方向に変位することが可能となっている。
【００１７】
てこ部材４３は上下に間隔を空けて対向配置された一対の板材によって構成されており、全体としては左右方向に長い長手状をなしている。てこ部材４３は、上下方向に延びる回動軸４４を中心として回動可能となっている。図５に示すように、てこ部材４３の一端部はプランジャ４２とヒンジピン４６を介して接続される接続部４３Ａとされる。接続部４３Ａには、ヒンジピン４６が挿通される貫通孔４３Ｂが形成されている。貫通孔４３Ｂは左右方向に長い長手状をなしている。また、てこ部材４３の他端部には、扉押出部４５が設けられている。扉押出部４５は、図５に示すように扉１３Ａの後面に当接する構成となっている。そして、てこ部材４３の長手方向について、接続部４３Ａと回動軸４４との距離は、扉１３Ａに対する扉押出部４５の接点４５Ａと回動軸４４との距離よりも大きい値で設定されている。
【００１８】
図６及び図７に示すように、ソレノイド４１が駆動することで、プランジャ４２（ひいてはヒンジピン４６）が後方に変位すると、てこ部材４３が回動軸４４を中心として回動し、扉押出部４５が前方に変位する。これにより、扉押出部４５によって扉１３Ａが前方に押し出され、扉１３Ａは、閉位置から開位置側に回動する。つまり、てこ部材４３の接続部４３Ａが力点、回動軸４４が支点、扉押出部４５（より詳しくは接点４５Ａ）が作用点である。また、図４に示すように、回動軸４４にはつる巻きばね５１が取り付けられている。つる巻きばね５１の一端部は固定部材５０に係止され、他端部はてこ部材４３に係止されている。つる巻きばね５１は、プランジャ４２が後方に変位することで回動したてこ部材４３を初期位置（図５参照）まで復帰させる機能を担っている。
【００１９】
扉１３は、マグネットガスケット４７（図５参照）によって貯蔵庫本体１１に対して吸着されている。このため、扉１３を開くためには、マグネットガスケット４７の吸着力よりも大きい力で扉１３を前方に押圧し、貯蔵庫本体１１からマグネットガスケット４７を引きはがす必要がある。てこ部材４３を備えることで、プランジャ４２の駆動力を増幅して扉１３Ａに伝えることができる。このため、前方に変位するプランジャで直接的に扉１３を押圧する構成と比べて、吸引力の低いソレノイド４１を用いることができ、ソレノイド４１の小型化を図ることができる。
【００２０】
また、図１に示すように、扉１３Ａの取手４８には、開扉装置４０を動作させるためのスイッチ４９が設けられている。スイッチ４９は、例えば、静電センサとされ、使用者が取手４８に触れることで、スイッチ４９がオンされると、ソレノイド４１が駆動することで、扉１３Ａを開けることができる。なお、スイッチ４９は、静電センサに限定されず、例えば押しボタン式のスイッチ等を用いてもよい。
【００２１】
また、本実施形態では、図１に示すように、扉１３Ａの開閉を検知するためのセンサ６０及び検知対象部６１を備える。センサ６０は、検知対象部６１との距離Ｌ２が所定距離Ｌ１以内にあるか否かを判定することが可能となっている。センサ６０は、扉１３Ａの上面において、ヒンジ部材１７から遠い側の端部に取り付けられている。一方、検知対象部６１は、フロントパネル３０の前面に取り付けられている。なお、センサ６０としては、近接センサを例示することができ、検知対象部としては、近接センサが接近を検知することができる物体であればよい。例えば、センサ６０として磁気式の近接センサを用いた場合には、検知対象部６１として磁石を用いることができ、センサ６０として誘導形の近接センサを用いた場合には、金属等の導体を用いることができる。また、センサ６０がフロントパネル３０に設けられ、検知対象部６１が扉１３Ａに設けられていてもよい。
【００２２】
図３に示すように、センサ６０と検知対象部６１との距離Ｌ２は、扉１３Ａの開き具合によって変化する。扉１３Ａが閉位置から開位置に近づく過程では、センサ６０は扉１３Ａと共に前方に回動し、検知対象部６１よりも前方に配された以降は、開位置に近づくにつれて、センサ６０と検知対象部６１との距離Ｌ２が次第に大きくなっていく（図９も参照）。上記所定距離Ｌ１は、扉１３Ａがわずかに開いた状態（閉位置と開位置の中間位置）のセンサ６０と検知対象部６１との距離Ｌ２である。言い換えると、センサ６０と検知対象部６１とは、扉１３Ａが閉位置にある場合には、センサ６０と検知対象部６１との距離Ｌ２が所定距離Ｌ１以内となる位置関係である。また、センサ６０と検知対象部６１とは、扉１３Ａが開位置にある場合には、センサ６０と検知対象部６１との距離Ｌ２が所定距離Ｌ１よりも大きくなる位置関係である。なお、図３に示す領域Ａ１は、距離Ｌ２が所定距離Ｌ１以内となる扉１３Ａの回動範囲であり、図３に示す領域Ａ２は、距離Ｌ２が所定距離Ｌ１よりも大きくなる扉１３Ａの回動範囲である。
【００２３】
フロントパネル３０（カバー部材）は、図８に示すように、貯蔵庫本体１１及び扉１３Ａと隣接されており、開扉装置４０を前方（図８の右側）から覆う構成となっている。フロントパネル３０は、前側において左右方向に並ぶ一対の支柱２７，２７（図２参照）に対して取り付けられている。フロントパネル３０は、支柱２７に係止するフック３１及び弾性係止部３２を備え、フック３１の係止箇所を回動中心として回動可能に取り付けられている。このため、フロントパネル３０は、その上端部を回動中心として、機械室１２を前方から覆う閉位置（フロントパネルの閉位置、図８参照）と、機械室１２の前方を開放する開位置（フロントパネルの閉位置、図１０参照）との間で回動可能となっている。また、支柱２７に対するフック３１及び弾性係止部３２の係止を解除することで、フロントパネル３０を支柱２７から取り外すことが可能となっている。
【００２４】
次に、冷却貯蔵庫１０の電気的構成について説明する。図１１に示すように、冷却貯蔵庫１０は、制御部７０を備える。制御部７０には、表示部７１、操作部７２、記憶部７３、圧縮機２４、凝縮器ファン２３、冷却ファン２８、スイッチ４９、ソレノイド４１、センサ６０がそれぞれ電気的に接続されている。
【００２５】
制御部７０は、例えば、ＣＰＵを主体に構成されており、記憶部７３は、例えば、ＲＯＭやＲＡＭなどによって構成されている。制御部７０は、記憶部７３に記憶されたコンピュータプログラムを実行することで、制御部７０に接続された各機器（圧縮機２４、冷却ファン２８、ソレノイド４１など）の動作を制御することが可能となっている。なお、制御部７０は、例えば、機械室１２内に配置された電装箱２１（図２参照）の内部に収容されているが、これに限定されない。
【００２６】
また、表示部７１及び操作部７２は、例えば、機械室１２前端部の右側端部に配されたオペレーションボックス７４に設けられている。表示部７１は、液晶パネルによって構成され、操作部７２は、押圧操作可能なボタンによって構成されている。表示部７１及び操作部７２は、フロントパネル３０の裏側に配されている。使用者は、フロントパネル３０に設けられた透明部材（ガラスなど）を通じて前方から表示部７１を視認可能となっている。また、使用者は、フロントパネル３０を開くことで、操作部７２を操作することが可能となっている。作業者は、操作部７２を操作することで、冷却貯蔵庫１０の運転や各種設定（庫内設定温度の変更など）を行うことができる。
【００２７】
次に扉１３Ａの開閉に係る制御部７０の動作について説明する。図１２は扉１３Ａの開閉に係る制御部７０の動作を示すフローチャートである。図１２に示すように、作業者が取手４８に触れることでスイッチ４９を操作し、スイッチ４９がオンされる（ステップＳ１で「ＹＥＳ」）と、制御部７０は、センサ６０と検知対象部６１との距離Ｌ２が所定距離Ｌ１以内であった場合（ステップＳ２で「ＹＥＳ」）には、扉１３Ａが閉じている（閉扉状態）と判定し、ソレノイド４１を動作させる（ステップＳ３）。これにより、開扉装置４０が動作することで、扉１３Ａが開位置側に回動する。つまり、制御部７０は、センサ６０と検知対象部６１との距離Ｌ２が所定距離Ｌ１よりも大きい場合（ステップＳ２で「ＮＯ」）には、扉１３Ａが開いている（開扉状態）と判定し、スイッチ４９がオンされた場合であっても開扉装置４０を動作させない。
【００２８】
また、図１３はスイッチ４９に係る制御部７０の動作を示すフローチャートである。図１３に示すように、制御部７０は、スイッチ４９がオンされ（ステップＳ１１で「ＹＥＳ」）、距離Ｌ２が所定距離Ｌ１以内であった場合（ステップＳ１２で「ＹＥＳ」）には、スイッチ４９の機能を無効にする（ステップＳ１３）。スイッチ４９の機能が無効になっている間は、スイッチ４９が操作された場合であっても開扉装置４０が動作することがない。ここで言う「スイッチ４９の機能を無効にする」とは、例えばスイッチ４９に対する電力供給を遮断してスイッチ４９からの出力信号を停止させることや、スイッチ４９がオンされた場合であっても制御部７０が開扉装置４０を動作させないこと等を意味する。
【００２９】
そして、制御部７０は、スイッチ４９の機能を無効にした後、距離Ｌ２が所定距離Ｌ１よりも大きくなった後、所定距離Ｌ１以内になる（ステップＳ１４で「ＹＥＳ」）と、スイッチ４９の機能を有効にする（ステップＳ１５）。つまり、制御部７０は、スイッチ４９がオンされてから、センサ６０と検知対象部６１との距離Ｌ２が所定距離Ｌ１よりも大きい状態（扉１３Ａが図３の領域Ａ２にある状態）となり、その後、センサ６０と検知対象部６１との距離Ｌ２が所定距離Ｌ１以内（扉１３Ａが図３の領域Ａ１にある状態）となるまでの間、スイッチ４９の機能を無効とする。このため、本実施形態では、例えば閉位置にある扉１３Ａが開扉装置４０によって開かれてから、再び閉位置に配されるまでの間、スイッチ４９の機能が無効となる。
【００３０】
次に本実施形態の効果について説明する。本実施形態において、扉１３Ａが開位置にある場合には、センサ６０と検知対象部６１との距離Ｌ２が所定距離Ｌ１よりも大きくなる位置関係であるから、開扉装置４０が動作しないようになっている。これにより、扉１３Ａが開位置にある場合に開扉装置４０が動作する事態を抑制できる。つまり、扉１３Ａが図３の領域Ａ２にある状態でスイッチ４９が操作された場合において、開扉装置４０が動作する事態を抑制できる。
【００３１】
また、開扉装置４０のメンテナンス等を行う際にフロントパネル３０を取り外した場合には、取り外されたフロントパネル３０は扉１３Ａから十分に遠い位置に置かれることになるから、センサ６０と検知対象部６１との距離Ｌ２が所定距離Ｌ１よりも大きくなり、開扉装置４０が動作しない。このため、開扉装置４０のメンテナンス中に開扉装置４０が動作する事態を抑制できる。また、本実施形態では、フロントパネル３０が機械室１２の前方を開放する開位置（図１０参照）にある場合においてもセンサ６０と検知対象部６１との距離Ｌ２が所定距離Ｌ１よりも大きくなる位置関係となっている。このため、フロントパネル３０が開位置にある場合に、スイッチ４９がオンされても、開扉装置４０は動作することがない。
【００３２】
また、上記構成によれば、センサ６０と検知対象部６１とを一つずつ備えることで、扉１３Ａが開位置にあること及びフロントパネル３０が取り外されていることをそれぞれ検知することができる。このため、仮に貯蔵庫本体１１にセンサ６０を設け、扉１３Ａとフロントパネル３０にそれぞれ検知対象部６１を設ける構成と比べて、検知対象部６１の設置個数を減らすことができる。
【００３３】
また、本実施形態では、制御部７０は、スイッチ４９がオンされてから、センサ６０と検知対象部６１との距離Ｌ２が所定距離Ｌ１よりも大きい状態となり、その後、センサ６０と検知対象部６１との距離Ｌ２が所定距離Ｌ１以内となるまでの間、スイッチ４９の機能を無効とする。扉１３Ａが閉位置でない状態且つセンサ６０と検知対象部６１との距離Ｌ２が所定距離Ｌ１以内である状態で、スイッチ４９が操作された場合において、開扉装置４０が動作する事態を抑制できる。つまり、閉位置から開位置に回動する扉１３Ａが図３の領域Ａ１にある状態で、スイッチ４９が操作された場合において、開扉装置４０が動作する事態を抑制できる。
【００３４】
＜他の実施形態＞
本発明は上記記述及び図面によって説明した実施形態に限定されるものではなく、例えば次のような実施形態も本発明の技術的範囲に含まれる。
（１）上記実施形態では、貯蔵庫として冷却貯蔵庫を例示したが、これに限定されない。貯蔵庫として、ショーケース等を例示することができる。
（２）上記実施形態では、開扉装置４０が機械室１２に配されている構成を例示したが、これに限定されない。開扉装置４０の配置箇所は、回動させる扉１３に応じて適宜変更可能である。
（３）上記実施形態では、てこ部材４３を備える開扉装置４０を例示したが、これに限定されない。例えば、プランジャによって直接扉を押し出す構成の開扉装置を備えていてもよい。
【符号の説明】
【００３５】
１０…冷却貯蔵庫（貯蔵庫）、１１…貯蔵庫本体、１３Ａ…扉、１４…開口部、３０…フロントパネル（カバー部材）、４０…開扉装置、４９…スイッチ、６０…センサ、６１…検知対象部、７０…制御部、Ｌ１…所定距離、Ｌ２…センサと検知対象部との距離
【図１】
2020067190.tif 000003
【図２】
2020067190.tif 000004
【図３】
2020067190.tif 000005
【図４】
2020067190.tif 000006
【図５】
2020067190.tif 000007
【図６】
2020067190.tif 000008
【図７】
2020067190.tif 000009
【図８】
2020067190.tif 000010
【図９】
2020067190.tif 000011
【図１０】
2020067190.tif 000012
【図１１】
2020067190.tif 000013
【図１２】
2020067190.tif 000014
【図１３】
2020067190.tif 000015